(57)【特許請求の範囲】
【請求項１】
複数の試料容器にそれぞれ接続される複数の真空排気用チューブを真空排気手段に接続するための濃縮装置用マニフォールドであって、
前記真空排気手段に接続されるマニフォールド管と、該マニフォールド管から複数個が分岐した継手部材と、該継手部材に着脱可能に取り付けられるチューブ連結管及び該チューブ連結管を開閉するニードル部材を取り付けるためのニードル取付管と、該チューブ連結管及びニードル取付管を前記継手部材にそれぞれ固定するための筒状の固定部材とを有し、
前記継手部材は、マニフォールド管から分岐した分岐管部と、該分岐管部の先端から上下方向に分岐して上方及び下方にそれぞれ開口した同径の一対の接続管部とを有するＴ字状に形成されるとともに、各接続管部の先端に同径の接続フランジをそれぞれ有しており、
前記チューブ連結管は、前記上方に開口した接続管部に挿入される挿入管部と、該挿入管部の上部に設けられたフランジ部と、該フランジ部の上部に連設したチューブ連結部とを有し、
前記ニードル取付管は、前記下方に開口した接続管部に挿入される挿入管部と、該ニードル取付管の挿入管部の下部に設けられたフランジ部と、該ニードル取付管のフランジ部の下部に連設した雄ねじ部とを有し、
前記ニードル部材は、前記ニードル取付管及びチューブ連結管の内部に挿通可能で先端外面が円錐面に形成されたニードル管部と、該ニードル管部の下端部に取り付けられて前記ニードル取付管の雄ねじ部に螺合する雌ねじ部材とを有し、
前記固定部材は、前記チューブ連結管及びニードル取付管を挿通可能な内径を有する筒状に形成されて互いに螺合可能な一対の雄ねじ部材及び雌ねじ部材を有し、
各雄ねじ部材の内周には前記各フランジ部の反挿入管部側の面に係合する係合段部が設けられ、
前記固定部材の各雌ねじ部材の挿入管部側内周には、内径が前記継手部材の各接続フランジより僅かに大きな環状突部と、該環状突部の反挿入管部側に隣接して配置された締結具ガイド溝と、該ガイド溝内に締結具を挿入するための挿入口とが設けられており、
前記チューブ連結管と前記上方に開口した接続管部とは、前記チューブ連結管のフランジ部の下方に環状シール材を装着した挿入管部を前記上方に開口した接続管部内に挿入するとともに前記固定部材の一方の雌ねじ部材の環状突部内に前記上方に開口した接続管部を挿通させた状態で、前記固定部材の一方の雌ねじ部材の挿入口から密着コイルバネからなる締結具を前記固定部材の一方の雌ねじ部材のガイド溝内に挿入し、チューブ連結部側から前記一方の雄ねじ部材を前記固定部材の一方の雌ねじ部材に螺合してこの雌ねじ部材を上方に移動させることにより、前記上方に開口した接続管部の接続フランジの下面と前記固定部材の一方の雌ねじ部材の環状突部とを前記締結具を介して係合させ、同時に、前記一方の雄ねじ部材の係合段部で前記チューブ連結管のフランジ部上面を下方に押圧してこのフランジ部下面と前記上方に開口した接続管部の接続フランジ部上面とを前記フランジ部の下方に装着した環状シール材を介して密着させることにより組み付けられ、
前記ニードル取付管と前記下方に開口した接続管部とは、前記ニードル取付管のフランジ部の上方に環状シール材を装着した挿入管部を前記下方に開口した接続管部内に挿入するとともに前記固定部材の他方の雌ねじ部材の環状突部内に前記下方に開口した接続管部を挿通させた状態で、前記固定部材の他方の雌ねじ部材の挿入口から前記密着コイルバネとは別の密着コイルバネからなる締結具を前記固定部材の他方の雌ねじ部材のガイド溝内に挿入し、前記ニードル取付管の雄ねじ部側から前記固定部材の他方の雄ねじ部材を前記固定部材の他方の雌ねじ部材に螺合してこの雌ねじ部材を下方に移動させることにより、前記下方に開口した接続フランジの上面と前記固定部材の他方の雌ねじ部材の環状突部とを前記密着コイルバネとは別の密着コイルバネからなる締結具を介して係合させ、同時に、前記固定部材の他方の雄ねじ部材の係合段部で前記ニードル取付管のフランジ部下面を上方に押圧してこのフランジ部上面と前記下方に開口した接続フランジ部下面とを前記フランジ部の上方に装着した環状シール材を介して密着させることにより組み付けられ、
前記ニードル部材は、前記ニードル管部を前記ニードル取付管内に挿入して前記雌ねじ部材とは別の雌ねじ部材をニードル取付管の雄ねじ部に螺合させた状態で組み付けられ、前記ニードル取付管の雄ねじ部と螺合している雌ねじ部材がニードル取付管の雄ねじ部の下部にあるときにはニードル管部先端がチューブ連結管から離れてチューブ連結管を開放した状態となり、
該ニードル取付管の雄ねじ部と螺合している雌ねじ部材がニードル取付管の雄ねじ部の最上部にあるときにはニードル管部先端がチューブ連結管内に進入してチューブ連結管を閉塞した状態となり、
該ニードル取付管の雄ねじ部と螺合している雌ねじ部材がニードル取付管の雄ねじ部の中間位置でチューブ連結管の開度を調節可能な状態となることを特徴とする濃縮装置用マニフォールド。
【請求項２】
前記マニフォールド管は、一端に前記真空排気手段との接続部が設けられ、他端に開閉コックが設けられていることを特徴とする請求項１記載の濃縮装置用マニフォールド。
【請求項３】
前記ニードル部材は、先端から下端部にわたる貫通孔が設けられるとともに、下端部に貫通孔を開閉する栓が設けられていることを特徴とする請求項１又は２記載の濃縮装置用マニフォールド。
【発明の詳細な説明】
【技術分野】
【０００１】
本発明は、濃縮装置用マニフォールドに関し、詳しくは、濃縮対象となる試料を投入した複数の試料容器に接続した複数の真空排気用チューブを真空排気手段に接続するための濃縮装置用マニフォールドに関する。
【背景技術】
【０００２】
近年、ダイオキシンや環境ホルモン等の環境試料を分析する必要性が増加しており、これらの試料の分析に濃縮装置が用いられている。濃縮装置は、試料を投入した容器を振盪させるとともに加熱しながら真空引きすることによって試料の濃縮を行うものであって、複数の容器を使用する濃縮装置では、各容器の口部と真空排気装置に接続する配管とを、板状体の内部に連通孔を設けたマニフォールドを介して接続することが行われている（例えば、特許文献１参照。）。
【特許文献１】特開２００２−５３６６５２号公報
【発明の開示】
【発明が解決しようとする課題】
【０００３】
しかし、従来のマニフォールドの構造では、容器個別の開閉が困難であり、また、マニフォールド内の連通孔を経由した容器相互のコンタミネーションが発生しやすいという問題がある。さらに、準備段階でマニフォールドを閉じるまで容器が開口した状態となっているため、先に準備した容器内にゴミが混入する可能性が高いという問題もある。なお、試料を濃縮する機器として、ロータリーエバポレータも知られているが、試料の乾固を防ぐには常に監視しているする必要があり、また、１台で１試料しか濃縮できないため、複数の試料を濃縮する用途には適当ではない。
【０００４】
そこで本発明は、複数の試料容器と真空排気装置とを確実に接続できるとともに、部品の分解、組立が容易で部品の洗浄を確実に行うことができ、また、容器個別の開閉も可能で、コンタミネーションも防止できる濃縮装置用マニフォールドを提供することを目的としている。
【課題を解決するための手段】
【０００５】
上記目的を達成するため、本発明の濃縮装置用マニフォールドは、複数の試料容器にそれぞれ接続される複数の真空排気用チューブを真空排気手段に接続するための濃縮装置用マニフォールドであって、前記真空排気手段に接続されるマニフォールド管と、該マニフォールド管から複数個が分岐した継手部材と、該継手部材に着脱可能に取り付けられるチューブ連結管及び該チューブ連結管を開閉するニードル部材を取り付けるためのニードル取付管と、該チューブ連結管及びニードル取付管を前記継手部材にそれぞれ固定するための筒状の固定部材とを有し、前記継手部材は、マニフォールド管から分岐した分岐管部と、該分岐管部の先端から上下方向に分岐して上方及び下方にそれぞれ開口した同径の一対の接続管部とを有するＴ字状に形成されるとともに、各接続管部の先端に同径の接続フランジをそれぞれ有しており、前記チューブ連結管は、前記上方に開口した接続管部に挿入される挿入管部と、該挿入管部の上部に設けられたフランジ部と、該フランジ部の上部に連設したチューブ連結部とを有し、前記ニードル取付管は、前記下方に開口した接続管部に挿入される挿入管部と、該ニードル取付管の挿入管部の下部に設けられたフランジ部と、該ニードル取付管のフランジ部の下部に連設した雄ねじ部とを有し、前記ニードル部材は、前記ニードル取付管及びチューブ連結管の内部に挿通可能で先端外面が円錐面に形成されたニードル管部と、該ニードル管部の下端部に取り付けられて前記ニードル取付管の雄ねじ部に螺合する雌ねじ部材とを有し、前記固定部材は、前記チューブ連結管及びニードル取付管を挿通可能な内径を有する筒状に形成されて互いに螺合可能な一対の雄ねじ部材及び雌ねじ部材を有し、各雄ねじ部材の内周には前記各フランジ部の反挿入管部側の面に係合する係合段部が設けられ、前記固定部材の各雌ねじ部材の挿入管部側内周には、内径が前記継手部材の各接続フランジより僅かに大きな環状突部と、該環状突部の反挿入管部側に隣接して配置された締結具ガイド溝と、該ガイド溝内に締結具を挿入するための挿入口とが設けられており、前記チューブ連結管と前記上方に開口した接続管部とは、前記チューブ連結管のフランジ部の下方に環状シール材を装着した挿入管部を前記上方に開口した接続管部内に挿入するとともに前記固定部材の一方の雌ねじ部材の環状突部内に前記上方に開口した接続管部を挿通させた状態で、前記固定部材の一方の雌ねじ部材の挿入口から密着コイルバネからなる締結具を前記固定部材の一方の雌ねじ部材のガイド溝内に挿入し、チューブ連結部側から前記一方の雄ねじ部材を前記固定部材の一方の雌ねじ部材に螺合してこの雌ねじ部材を上方に移動させることにより、前記上方に開口した接続管部の接続フランジの下面と前記固定部材の一方の雌ねじ部材の環状突部とを前記締結具を介して係合させ、同時に、前記一方の雄ねじ部材の係合段部で前記チューブ連結管のフランジ部上面を下方に押圧してこのフランジ部下面と前記上方に開口した接続管部の接続フランジ部上面とを前記フランジ部の下方に装着した環状シール材を介して密着させることにより組み付けられ、前記ニードル取付管と前記下方に開口した接続管部とは、前記ニードル取付管のフランジ部の上方に環状シール材を装着した挿入管部を前記下方に開口した接続管部内に挿入するとともに前記固定部材の他方の雌ねじ部材の環状突部内に前記下方に開口した接続管部を挿通させた状態で、前記固定部材の他方の雌ねじ部材の挿入口から前記密着コイルバネとは別の密着コイルバネからなる締結具を前記固定部材の他方の雌ねじ部材のガイド溝内に挿入し、前記ニードル取付管の雄ねじ部側から前記固定部材の他方の雄ねじ部材を前記固定部材の他方の雌ねじ部材に螺合してこの雌ねじ部材を下方に移動させることにより、前記下方に開口した接続フランジの上面と前記固定部材の他方の雌ねじ部材の環状突部とを前記密着コイルバネとは別の密着コイルバネからなる締結具を介して係合させ、同時に、前記固定部材の他方の雄ねじ部材の係合段部で前記ニードル取付管のフランジ部下面を上方に押圧してこのフランジ部上面と前記下方に開口した接続フランジ部下面とを前記フランジ部の上方に装着した環状シール材を介して密着させることにより組み付けられ、前記ニードル部材は、前記ニードル管部を前記ニードル取付管内に挿入して前記雌ねじ部材とは別の雌ねじ部材をニードル取付管の雄ねじ部に螺合させた状態で組み付けられ、前記ニードル取付管の雄ねじ部と螺合している雌ねじ部材がニードル取付管の雄ねじ部の下部にあるときにはニードル管部先端がチューブ連結管から離れてチューブ連結管を開放した状態となり、該ニードル取付管の雄ねじ部と螺合している雌ねじ部材がニードル取付管の雄ねじ部の最上部にあるときにはニードル管部先端がチューブ連結管内に進入してチューブ連結管を閉塞した状態となり、該ニードル取付管の雄ねじ部と螺合している雌ねじ部材がニードル取付管の雄ねじ部の中間位置でチューブ連結管の開度を調節可能な状態となることを特徴としている。
【０００６】
さらに、本発明の濃縮装置用マニフォールドは、前記マニフォールド管は、一端に前記真空排気手段との接続部が設けられ、他端に開閉コックが設けられていることを特徴とし、また、前記ニードル部材は、先端から下端部にわたる貫通孔が設けられるとともに、下端部に貫通孔を開閉する栓が設けられていることを特徴としている。
【発明の効果】
【０００７】
本発明の濃縮装置用マニフォールドによれば、複数の試料容器にそれぞれ接続した真空排気用チューブを個別に真空排気手段に接続することができる。また、各試料容器毎に独立した状態で真空排気用チューブをマニフォールド管に接続するので、各ニードル部材を操作することによって、容器個別の開閉だけでなく開度調節も可能であり、しかも、コンタミネーションの発生を防止できる。さらに、準備段階で試料を投入した容器を順次接続することによって容器内へのゴミの侵入も防止できる。
【発明を実施するための最良の形態】
【０００８】
図１は本発明の一形態例を示す濃縮装置用マニフォールドの説明図、図２は濃縮装置用マニフォールドの正面図、図３は同じく平面図、図４は同じく側面図、図５は濃縮装置の正面図、図６は同じく平面図、図７は同じく側面図、図８はニードル部材がチューブ連結管を全開状態とした状態を示す断面図、図９はニードル部材がチューブ連結管を半開状態とした状態を示す断面図、図１０はニードル部材がチューブ連結管を閉塞状態とした状態を示す断面図である。
【０００９】
まず、図５乃至図７に示すように、濃縮装置は、濃縮装置本体１１の上部に、複数の試料容器１２を保持して振盪させる振盪部１３及び試料容器１２を加熱するための加熱部１４を有している。各試料容器１２の口部には容器キャップ１５及びコネクタ１６を介して真空排気用チューブ１７の一端がそれぞれ接続されており、各真空排気用チューブ１７の他端が、マニフォールド２０を介して図示しない真空排気手段に接続されている。このマニフォールド２０は、濃縮装置本体１１の後部に設けた一対の支柱１８に上下位置調節可能に支持された支持部材１９により保持されている。
【００１０】
各試料容器１２内に投入した液体試料の濃縮操作は、振盪部１３を作動させて試料容器１２を振盪させるとともに、加熱部１４に内蔵されたヒーターを制御して各試料容器１２を所定の温度に加熱した状態で真空排気装置を作動させ、各試料容器１２内の蒸気をチューブ１７からマニフォールド２０を介して真空排気することにより行われる。濃縮が進行すると試料容器１２内の液量が次第に減少し、最終的には、試料容器１２の底部に設けられた窪み１２ａに１ｍｌ程度残った状態となる。この段階でタイマーによって振盪、加熱及び真空排気を停止すれば、窪み１２ａに残った液はそれ以上蒸発しないので、窪み１２ａ内の液が次の分析工程等に送られて所定の操作が行われる。
【００１１】
図１乃至図４に示すように、前記マニフォールド２０は、マニフォールド管２１と、該マニフォールド管２１から複数個が分岐した継手部材２２と、該継手部材２２に着脱可能に取り付けられるチューブ連結管２３及び該チューブ連結管２３を開閉するニードル部材２４を取り付けるためのニードル取付管２５と、該チューブ連結管２３及びニードル取付管２５を継手部材２２にそれぞれ固定するための筒状の固定部材２６とを有している。
【００１２】
マニフォールド管２１と継手部材２２とは一体的に形成されており、マニフォールド管２１の一端には前記真空排気手段との接続部となるガラスネジ２１ａが設けられ、他端にはガラステーパー２１ｂを介して開閉コック２１ｃが設けられている。また、継手部材２２は、マニフォールド管２１から法線方向に分岐した分岐管部２２ａと、該分岐管部２２ａの先端からＴ字状に分岐した同径の一対の接続管部２２ｂ、２２ｃとを有しており、両接続管部２２ｂ、２２ｃの先端には同径の接続フランジ２２ｄが設けられている。この接続管部２２ｂ、２２ｃは、マニフォールド管２１を前記支持部材１９のホルダ部１９ａに水平方向に保持させたときに、両接続管部２２ｂ、２２ｃの軸線が上下方向を向くように配置される。
【００１３】
前記チューブ連結管２３は、上方が開口した上部側の接続管部２２ｂに取り付けられるものであって、この接続管部２２ｂ内に挿入される挿入管部２３ａと、該挿入管部２３ａの上部に設けられたフランジ部２３ｂと、該フランジ部２３ｂの上部に連設したチューブ連結部２３ｃとを有している。さらに、チューブ連結部２３ｃの先端部外周にはチューブ抜止用の複数の環状突起２３ｄが設けられ、フランジ部２３ｂ下部の挿入管部２３ａには、環状シール材２３ｅが取り付けられている。
【００１４】
前記ニードル取付管２５は、下方が開口した下部側の接続管部２２ｃに取り付けられるものであって、この接続管部２２ｃ内に挿入される挿入管部２５ａと、該挿入管部２５ａの下部に設けられたフランジ部２５ｂと、該フランジ部２５ｂの下部に連設した雄ねじ部２５ｃとを有しており、フランジ部２５ｂ上部の挿入管部２５ａには、環状シール材２５ｄが取り付けられている。
【００１５】
前記ニードル部材２４は、前記ニードル取付管２５及びチューブ連結管２３の内部に挿通可能な外径を有するとともに、先端外面が円錐面に形成されたニードル管部２４ａと、該ニードル管部２４ａの下部に取り付けられて前記ニードル取付管２５の雄ねじ部２５ｃに螺合する雌ねじ部材２４ｂとを有しており、ニードル管部２４ａの下端部外面には、雌ねじ部材２４ｂを径方向に貫通して設けられた止めネジ２４ｃの先端が係合する係合孔２４ｄが設けられている。また、ニードル管部２４ａの先端部と中間部とには、Ｏリング２４ｅ，２４ｆがそれぞれ装着されており、下端部には、ニードル管部２４ａ内に先端から下端部にわたって軸方向に設けられた貫通孔２４ｇを開閉するための栓２４ｈがガラステーパー及び袋ナット２４ｉによって気密状態で設けられている。
【００１６】
前記固定部材２６は、互いに螺合可能な一対の雄ねじ部材２７及び雌ねじ部材２８と、締結具である密着コイルバネ２９とを有している。雄ねじ部材２７及び雌ねじ部材２８は、チューブ連結管２３及びニードル取付管３５を挿通可能な内径を有する筒状に形成されており、雄ねじ部材２７及び雌ねじ部材２８は、接続管部２２ｂ、２２ｃ先端の接続フランジ２２ｄをそれぞれ挟むようにして、雄ねじ部材２７がチューブ連結管２３やニードル取付管２５の挿入管部２３ａ，２５ａの反対側（反挿入管部側）に、雌ねじ部材２８が挿入管部２３ａ，２５ａ側に装着される。
【００１７】
雄ねじ部材２７の挿入管部側内周には、チューブ連結管２３のフランジ部２３ｂ及びニードル取付管２５のフランジ部２５ｂを収納可能な大径部２７ａと、チューブ連結管２３の環状突起２３ｄを挿通可能でフランジ部２３ｂ及びフランジ部２５ｂより小径の小径部２７ｂとが設けられ、大径部２７ａと小径部２７ｂとの間にフランジ部２３ｂ，２５ｂの上面に係合可能な係合段部２７ｃが形成されている。
【００１８】
雌ねじ部材２８の内周には、挿入管部側から順に、内径が前記接続フランジ部２２ｄより僅かに大きな環状突部２８ａと、該環状突部２８ａの反挿入管部側に隣接して配置された締結具ガイド溝２８ｂと、該締結具ガイド溝２８ｂの上部に設けられた雌ねじ部２８ｃとが設けられており、締結具ガイド溝２８ｂに対応する部分には、締結具ガイド溝２８ｂ内に前記密着コイルバネ２９を挿入するための挿入口２８ｄが設けられている。
【００１９】
締結具ガイド溝２８ｂは、接続管部２２ｂ、２２ｃの外周面との間に密着コイルバネ２９を挿入可能な内径を有するとともに、締結具ガイド溝２８ｂ内に密着コイルバネ２９を挿入したときに、密着コイルバネ２９の内周側が締結具ガイド溝２８ｂから内方に突出し、突出した密着コイルバネ２９が接続フランジ部２２ｄの分岐管部２２ａ側に係合するように形成されている。
【００２０】
密着コイルバネ２９は、金属細線をコイル状に密に巻回し、接続管部２２ｂ、２２ｃの円周より十分に長く形成したものであって、締結具ガイド溝２８ｂに沿って屈曲可能で、かつ、接続フランジ部２２ｄに係合することによって雌ねじ部材２７が雌ねじ部材２８側に外れることを防止できる強度を有している。
【００２１】
このような構成を有するマニフォールド２０に各試料容器１２を接続する手順の一例を説明する。マニフォールド管２１は、ガラスネジ２１ａに真空排気手段（例えば真空ポンプ）に接続したホース等を接続するとともに、ガラステーパー２１ｂに開閉コック２１ｃを取り付けた状態で所定高さに位置調節した支持部材１９に保持させる。
【００２２】
継手部材２２の上部側に位置する接続管部２２ｂには、環状シール材２３ｅを設けたチューブ連結管２３の挿入管部２３ａを挿入するとともに、接続管部２２ｂの外周部分に雌ねじ部材２８を位置させた状態で、密着コイルバネ２９を挿入口２８ｄから締結具ガイド溝２８ｂ内に挿入する。このとき、密着コイルバネ２９の挿入側は、接続管部２２ｂの外周を一周した状態となり、基部側は挿入口２８ｄから手で摘める程度に突出した状態となる。
【００２３】
そして、チューブ連結管２３の環状突起２３ｄ側から雌ねじ部材２８を取り付け、雄ねじ部材２７に螺合させて締め付けていく。これにより、雌ねじ部材２８は上方に移動して環状突部２８ａが密着コイルバネ２９を介して接続フランジ２２ｄの下面に係合した状態となり、雄ねじ部材２７は下方に移動して係合段部２７ｃがチューブ連結管２３のフランジ部２３ｂの上面に係合してチューブ連結管２３を下方に押圧し、フランジ部２３ｂの下面と接続フランジ２２ｄの上面とが、環状シール材２３ｅを介して密着した状態となる。また、チューブ連結管２３のチューブ連結部２３ｃにチューブ１７の一端を接続する。
【００２４】
一方、継手部材２２の下部側に位置する接続管部２２ｃには、環状シール材２５ｄを設けたニードル取付管２５の挿入管部２５ａを下方から挿入するとともに、接続管部２２ｃの外周部分に雌ねじ部材２８を位置させ、密着コイルバネ２９を挿入口２８ｄから締結具ガイド溝２８ｂ内に挿入する。このとき、前記同様に、密着コイルバネ２９の挿入側は、接続管部２２ｂの外周を一周した状態となり、基部側は挿入口２８ｄから手で摘める程度に突出した状態となる。
【００２５】
さらに、ニードル取付管２５の雄ねじ部２５ｃ側から雌ねじ部材２８を取り付け、雄ねじ部材２７に螺合させて締め付けていく。これにより、雌ねじ部材２８は下方に移動して環状突部２８ａが密着コイルバネ２９を介して接続フランジ２２ｄの上面に係合した状態となり、雄ねじ部材２７は上方に移動して係合段部２７ｃがニードル取付管２５のフランジ部２５ｂの下面に係合してニードル取付管２５を上方に押圧し、フランジ部２５ｂの上面と接続フランジ２２ｄの下面とが、環状シール材２５ｄを介して密着した状態となる。
【００２６】
また、ニードル部材２４は、ニードル管部２４ａの下部に雌ねじ部材２４ｂを止めネジ２４ｃによって取り付けるとともに、下端部に栓２４ｈを取り付け、ニードル管部２４ａをニードル取付管２５内に下方から挿入して雌ねじ部材２４ｂを雄ねじ部２５ｃに螺合させる。このとき、図８に示すように、雌ねじ部材２４ｂが雄ねじ部２５ｃの下部にあるときには、ニードル管部２４ａの先端がチューブ連結管２３から離れてチューブ連結管２３が開放された状態となる。この状態では、Ｏリング２４ｅ，２４ｆがニードル取付管２５の内周面に当接してニードル管部２４ａとニードル取付管２５との間をシールした状態となる。
【００２７】
雌ねじ部材２４ｂを雄ねじ部２５ｃにねじ込んでいくと、ニードル管部２４ａが雌ねじ部材２４ｂと共に回転しながら上昇し、ニードル管部２４ａ先端の円錐面部がチューブ連結管２３の下端開口内へ挿入され、図９に示すように、チューブ連結管２３の下端開口が半開状態となる。すなわち、雄ねじ部２５ｃの中間位置で雌ねじ部材２４ｂのねじ込み量を調節することにより、チューブ連結管２３の流路断面積を調節することが可能となる。雌ねじ部材２４ｂを雄ねじ部２５ｃの最上部にまでねじ込むと、図１０に示すように、ニードル管部２４ａがチューブ連結管２３内に進入し、下方のＯリング２４ｆはニードル取付管２５との間をシールした状態を保持したまま、上方のＯリング２４ｅがチューブ連結管２３の内周面に当接してチューブ連結管２３を閉塞し、試料容器１２とマニフォールド２０との連通状態を遮断した状態となる。
【００２８】
このようにしてマニフォールド２０における各部材を組み付けるとともに、各継手部材２２に接続した真空排気用チューブ１７の他端を各試料容器１２にそれぞれ接続することにより、複数の試料容器１２が濃縮装置にセットされた状態となり、各試料容器１２は、チューブ１７を介して独立した状態でマニフォールド２０に接続されることになる。さらに、試料を投入した試料容器１２を順次接続していくことにより、試料容器１２内にゴミが混入することもなくなる。
【００２９】
また、濃縮装置の運転時に、試料容器１２内の試料から多量の蒸気が発生するような場合には、該試料容器１２に対応した雌ねじ部材２４ｂを雄ねじ部２５ｃにねじ込んでチューブ連結管２３の開度を絞ることにより、試料からの蒸気の発生量を少なくすることができ、チューブ１７内等での蒸気の凝縮を抑制することができる。
【００３０】
特に、チューブ１７におけるマニフォールド２０への接続部が、上方に向いた接続管部２２ｂに接続しているので、チューブ１７やマニフォールド管２１内で蒸気が凝縮しても、凝縮した液滴が他のチューブ１７を逆流して他の試料容器１２内に侵入することはなく、コンタミネーションの発生を防止できる。
【００３１】
試料容器１２内の試料の蒸発量に差がある場合、所定量まで濃縮操作が完了した試料容器１２に対応した雌ねじ部材２４ｂを雄ねじ部２５ｃの最上部までねじ込んでチューブ連結管２３とマニフォールド２０との連通状態を遮断した後、ニードル管部２４ａに設けた栓２４ｈを開くことにより、ニードル管部２４ａ内の貫通孔２４ｇを通して大気あるいは所定のガスを試料容器１２内に流入させることにより、試料容器１２内を大気圧に戻すことができるので、該試料容器１２を濃縮装置から取り外すことができる。全ての試料容器１２の濃縮操作を終了するときには、真空排気手段を停止した後、開閉コック２１ｃを開いて系内に大気あるいは所定のガスを導入すればよい。
【００３２】
なお、上述の接続手順は一例であって、この接続手順に限るものではなく、例えば、固定部材２６の雄ねじ部材２７と雌ねじ部材２８とを軽く螺合させた仮組みした状態としておき、これにチューブ連結管２３やニードル取付管２５を挿通するとともに、これらを所定位置に配置して密着コイルバネ２９を挿入した後、雄ねじ部材２７と雌ねじ部材２８とを締め付けるようにしてもよい。また、先にマニフォールド管２１にチューブ連結管２３やニードル取付管２５を取り付けてから濃縮装置に組み付けてもよい。
【００３３】
マニフォールド２０の分解は、上記手順を逆にすることによって行うことができる。さらに、ニードル部材２４によってチューブ連結管２３を閉塞しておくことにより、濃縮装置に任意の数の試料容器１２をセットすることができ、蒸気排出量の設定も容器個別に行えるので、濃縮操作を確実かつ効率よく行うことができる。また、雄ねじ部材２７と雌ねじ部材２８とを緩めて密着コイルバネ２９を抜き取ることにより、真空排気用チューブ１７を接続したままの状態でチューブ連結管２３をマニフォールド２０から取り外すことができるので、濃縮装置への試料容器１２の着脱を容易に、かつ、迅速に行うことができる。さらに、各部材を分解することにより、それぞれ単純な形状となっているので、各部材の洗浄も容易かつ確実に行うことができる。
【図面の簡単な説明】
【００３４】
【図１】本発明の一形態例を示す濃縮装置用マニフォールドの説明図である。
【図２】濃縮装置用マニフォールドの正面図である。
【図３】同じく平面図である。
【図４】同じく側面図である。
【図５】濃縮装置の正面図である。
【図６】同じく平面図である。
【図７】同じく側面図である。
【図８】ニードル部材がチューブ連結管を全開状態とした状態を示す断面図である。
【図９】ニードル部材がチューブ連結管を半開状態とした状態を示す断面図である。
【図１０】ニードル部材がチューブ連結管を閉塞状態とした状態を示す断面図である。
【符号の説明】
【００３５】
１１…濃縮装置本体、１２…試料容器、１２ａ…窪み、１３…振盪部、１４…加熱部、１５…容器キャップ、１６…コネクタ、１７…真空排気用チューブ、１８…支柱、１９…支持部材、１９ａ…ホルダ部、２０…マニフォールド、２１…マニフォールド管、２１ａ…ガラスネジ、２１ｂ…ガラステーパー、２１ｃ…開閉コック、２２…継手部材、２２ａ…分岐管部、２２ｂ、２２ｃ…接続管部、２２ｄ…接続フランジ、２３…チューブ連結管、２３ａ…挿入管部、２３ｂ…フランジ部、２３ｃ…チューブ連結部、２３ｄ…環状突起、２３ｅ…環状シール材、２４…ニードル部材、２４ａ…ニードル管部、２４ｂ…雌ねじ部材、２４ｃ…止めネジ、２４ｄ…係合孔、２４ｅ，２４ｆ…Ｏリング、２４ｇ…貫通孔、２４ｈ…栓、２４ｉ…袋ナット、２５…ニードル取付管、２５ａ…挿入管部、２５ｂ…フランジ部、２５ｃ…雄ねじ部、２５ｄ…環状シール材、２６…固定部材、２７…雄ねじ部材、２７ａ…大径部、２７ｂ…小径部、２７ｃ…係合段部、２８…雌ねじ部材、２８ａ…環状突部、２８ｂ…締結具ガイド溝、２８ｃ…雌ねじ部、２８ｄ…挿入口、２９…密着コイルバネ
【図１】
0004710083.tif 000002
【図２】
0004710083.tif 000003
【図３】
0004710083.tif 000004
【図４】
0004710083.tif 000005
【図５】
0004710083.tif 000006
【図６】
0004710083.tif 000007
【図７】
0004710083.tif 000008
【図８】
0004710083.tif 000009
【図９】
0004710083.tif 000010
【図１０】
0004710083.tif 000011